(57)【要約】【課題】被連絡者が通話できない状態であっても、連絡者が被連絡者に連絡を行うことができる携帯電話や携帯電話システムを提供する。【解決手段】携帯電話８０は、待受モード通知情報を連絡者の携帯電話９０に送信し、携帯電話８０が携帯電話９０からメッセージを受信した場合には、携帯電話８０は前記メッセージを、ヘッドマウントディスプレイ１００に送信する。このため、連絡者が連絡を携帯電話で行い、被連絡者が通話できない場合には、連絡者が所有する携帯電話８０に待受モード通知情報が送信されるので、連絡者は被連絡者が通話できない状態であることを知覚することができる。そして、連絡者は携帯電話９０を用いてメッセージを被連絡者の携帯電話８０に送信し、携帯電話８０はメッセージをヘッドマウントディスプレイ１００に送信するので、連絡者が被連絡者に連絡を行うことが可能となる。【選択図】図１
2011211384.tif 000002
【特許請求の範囲】
【請求項１】
無線公衆網を介して他の電話と通信する公衆網通信部を有し、通話機能を有する携帯電話であって、
表示機能を有する外部端末と通信する外部通信部と、
通信相手の電話情報が記憶される電話情報記憶手段と、
通信相手の電話情報を、前記公衆網通信部を介して取得し、前記電話情報を前記電話情報記憶手段に記憶させる電話情報取得手段と、
前記公衆網通信部が通信相手の電話から着信したときに、前記電話情報取得手段が取得した前記通信相手の電話情報を、前記外部通信部を介して前記外部端末に送信する電話情報送信手段と、
前記外部端末が表示可能な状態であるか否かを判断する外部端末表示可能確認手段と、
前記外部端末表示可能確認手段が、外部端末が表示可能な状態であると判断した場合に、
前記通信相手の電話に、前記公衆網通信部が受信したメッセージを前記外部端末で表示可能な状態である待受モードであることを通知させる待受モード通知情報を生成し、当該待受モード通知情報を、前記公衆網通信部を介して、前記通信相手の電話に送信する待受モード設定手段と、
前記公衆網通信部がメッセージを受信した場合には、前記外部通信部を介して、前記メッセージを前記外部端末に送信するメッセージ転送手段を有すること特徴とする携帯電話。
【請求項２】
待受モードが設定されているか否かを判断する待受モード判断手段を有し、
待受モード判断手段が、待受モードであると判断した場合に限り、
待受モード設定手段は、待受モード通知情報を通信相手の電話に送信し、
メッセージ転送手段は、公衆網通信部が受信したメッセージを、外部端末に送信することを特徴とする請求項１に記載の携帯電話。
【請求項３】
待受けモードであるか否かを示す待受モードフラグが記憶される待受モードフラグ記憶手段を有し、
待受モード判断手段は、待受モードフラグ記憶領域に待受モードフラグが記憶されている場合に、ユーザーが所持する携帯電話が待受モードであると判断
することを特徴とする請求項２に記載の携帯電話。
【請求項４】
メッセージ転送手段は、電話情報記憶手段に記憶されている電話情報と同一の電話から送信されたメッセージに限り、当該メッセージを外部端末に送信することを特徴とする請求項１〜請求項３のいずれかに記載の携帯電話。
【請求項５】
待受モード判断手段が、待受モードであると判断した場合において、外部通信部が外部端末から送信された入力情報を受信した場合に、
前記入力情報に基づいて、公衆網通信部が受信したメッセージに対する応答情報を生成し、当該応答情報を、公衆網通信部を介して通信相手の電話に送信する応答手段を更に有することを特徴とする請求項１〜請求項４のいずれかに記載の携帯電話。
【請求項６】
入力情報と応答情報との関係を表した応答情報テーブルが記憶される応答情報テーブル記憶手段を有し、
応答手段は、外部端末から送信された入力情報及び前記応答情報テーブルに基づき、応答情報を生成することを特徴とする請求項５に記載の携帯電話。
【請求項７】
無線公衆網を介して他の電話と通信する公衆網通信部を有し通話機能を有する携帯電話と、この携帯電話と通信する外部端末とからなる携帯電話システムにおいて、
前記携帯電話は、
前記外部端末と通信する外部通信部と、
通信相手の電話情報が記憶される電話情報記憶手段と、
通信相手の電話情報を、前記公衆網通信部を介して取得し、前記電話情報を前記電話情報記憶手段に記憶させる電話情報取得手段と、
前記公衆網通信部が通信相手の電話から着信したときに、前記電話情報取得手段が取得した前記通信相手の電話情報を、前記外部通信部を介して前記外部端末に送信する電話情報送信手段と、
前記外部端末が表示可能な状態であるか否かを判断する外部端末表示可能確認手段と、
前記外部端末表示可能確認手段が、外部端末が表示可能な状態であると判断した場合に、前記通信相手の電話に、前記公衆網通信部が受信したメッセージを前記外部端末で表示可能な状態である待受モードであることを通知させる待受モード通知情報を生成し、当該待受モード通知情報を、前記公衆網通信部を介して、前記通信相手の電話に送信する待受モード設定手段と、
前記公衆網通信部がメッセージを受信した場合には、前記外部通信部を介して、前記メッセージを前記外部端末に送信するメッセージ転送手段を有し、
前記外部端末は、
画像が表示される画像表示部と、
前記携帯電話の外部通信部と通信する通信部と、
前記携帯電話が受信したメッセージを、前記通信部を介して取得するメッセージ取得手段と、
前記メッセージ取得手段が取得したメッセージを、前記画像表示部で表示させるメッセージ表示手段を有することを特徴とする携帯電話システム。
【発明の詳細な説明】
【技術分野】
【０００１】
本発明は、着信を受け取った人が通話できない場合であっても、連絡を行うことができる携帯電話及び携帯電話システムに関する。
【背景技術】
【０００２】
従来、携帯電話を利用して、メール等のメッセージを送受信する技術が知られている。携帯電話は持ち運びが可能なため、携帯電話の所有者は、メッセージを受信したときに確認することができる。しかし、会議中等手が離せない場合には、連絡者から携帯電話での連絡をうけた被連絡者は、通話することはできない。そこで、特許文献１には、腕時計型の表示装置に着信情報等を表示させる携帯端末システムが提案されている。
【先行技術文献】
【特許文献】
【０００３】
【特許文献１】特開２０００―６９１４９号公報
【発明の概要】
【発明が解決しようとする課題】
【０００４】
前述のように、被連絡者が通話できない場合には、連絡者は被連絡者がどのような状況にあるかが分からず、どのような連絡方法であれば被連絡者に対して連絡可能か分からなかった。特許文献１に示される携帯端末システムでは、前記問題を解決する方法は開示されていない。
本発明は、上記問題を解決し、被連絡者が通話できない状態であっても、連絡者が被連絡者に適切な手段にて連絡を行うことができる携帯電話や携帯電話システムを提供する。
【課題を解決するための手段】
【０００５】
上記課題を解決するためになされた請求項１に記載の発明は、
無線公衆網を介して他の電話と通信する公衆網通信部を有し、通話機能を有する携帯電話であって、
表示機能を有する外部端末と通信する外部通信部と、
通信相手の電話情報が記憶される電話情報記憶手段と、
通信相手の電話情報を、前記公衆網通信部を介して取得し、前記電話情報を前記電話情報記憶手段に記憶させる電話情報取得手段と、
前記公衆網通信部が通信相手の電話から着信したときに、前記電話情報取得手段が取得した前記通信相手の電話情報を、前記外部通信部を介して前記外部端末に送信する電話情報送信手段と、
前記外部端末が表示可能な状態であるか否かを判断する外部端末表示可能確認手段と、
前記外部端末表示可能確認手段が、外部端末が表示可能な状態であると判断した場合に、前記通信相手の電話に、前記公衆網通信部が受信したメッセージを前記外部端末で表示可能な状態である待受モードであることを通知させる待受モード通知情報を生成し、当該待受モード通知情報を、前記公衆網通信部を介して、前記通信相手の電話に送信する待受モード設定手段と、
前記公衆網通信部がメッセージを受信した場合には、前記外部通信部を介して、前記メッセージを前記外部端末に送信するメッセージ転送手段を有すること特徴とする。
【０００６】
請求項２に記載の発明は、請求項１に記載の発明において、
待受モードが設定されているか否かを判断する待受モード判断手段を有し、
待受モード判断手段が、待受モードであると判断した場合に限り、
待受モード設定手段は、待受モード通知情報を通信相手の電話に送信し、
メッセージ転送手段は、公衆網通信部が受信したメッセージを、外部端末に送信することを特徴とする。
これにより、ユーザーが、携帯電話が受信したメッセージを外部端末に送信させることを希望する場合に限り、前記メッセージが外部端末に送信される。
【０００７】
請求項３に記載の発明は、請求項２に記載の発明において、
待受けモードであるか否かを示す待受モードフラグが記憶される待受モードフラグ記憶手段を有し、
待受モード判断手段は、待受モードフラグ記憶領域に待受モードフラグが記憶されている場合に、ユーザーが所持する携帯電話が待受モードであると判断することを特徴とする。
これにより、待受モード判断手段は、確実に待受モードであることを判断することができる。
【０００８】
請求項４に記載の発明は、請求項１〜請求項３に記載の発明において、
メッセージ転送手段は、電話情報記憶手段に記憶されている電話情報と同一の電話から送信されたメッセージに限り、当該メッセージを外部端末に送信することを特徴とする。
これにより、通信相手と関係の無いメッセージが、外部端末に送信されることが無いので、ユーザーが煩わしく感じることが無い。
【０００９】
請求項５に記載の発明は、請求項１〜請求項４に記載の発明において、
待受モード判断手段が、待受モードであると判断した場合において、外部通信部が外部端末から送信された入力情報を受信した場合に、
前記入力情報に基づいて、公衆網通信部が受信したメッセージに対する応答情報を生成し、当該応答情報を、公衆網通信部を介して通信相手の電話に送信する応答手段を更に有することを特徴とする。
これにより、ユーザーは、通信相手の電話から送信されたメッセージに対する応答を行うことが可能となる。
【００１０】
請求項６に記載の発明は、請求項５に記載の発明において、
入力情報と応答情報との関係を表した応答情報テーブルが記憶される応答情報テーブル記憶手段を有し、
応答手段は、外部端末から送信された入力情報及び前記応答情報テーブルに基づき、応答情報を生成することを特徴とする。
これにより、会議中等手が離せない場合であっても、ユーザーは簡単な入力操作により、通信相手の電話から送信されたメッセージに対する応答を行うことが可能となる。
【００１１】
請求項７に記載の発明は、
無線公衆網を介して他の電話と通信する公衆網通信部を有し通話機能を有する携帯電話と、この携帯電話と通信する外部端末とからなる携帯電話システムにおいて、
前記携帯電話は、
前記外部端末と通信する外部通信部と、
通信相手の電話情報が記憶される電話情報記憶手段と、
通信相手の電話情報を、前記公衆網通信部を介して取得し、前記電話情報を前記電話情報記憶手段に記憶させる電話情報取得手段と、
前記公衆網通信部が通信相手の電話から着信したときに、前記電話情報取得手段が取得した前記通信相手の電話情報を、前記外部通信部を介して前記外部端末に送信する電話情報送信手段と、
前記外部端末が表示可能な状態であるか否かを判断する外部端末表示可能確認手段と、
前記外部端末表示可能確認手段が、外部端末が表示可能な状態であると判断した場合に、前記通信相手の電話に、前記公衆網通信部が受信したメッセージを前記外部端末で表示可能な状態である待受モードであることを通知させる待受モード通知情報を生成し、当該待受モード通知情報を、前記公衆網通信部を介して、前記通信相手の電話に送信する待受モード設定手段と、
前記公衆網通信部がメッセージを受信した場合には、前記外部通信部を介して、前記メッセージを前記外部端末に送信するメッセージ転送手段を有し、
前記外部端末は、
画像が表示される画像表示部と、
前記携帯電話の外部通信部と通信する通信部と、
前記携帯電話が受信したメッセージを、前記通信部を介して取得するメッセージ取得手段と、
前記メッセージ取得手段が取得したメッセージを、前記画像表示部で表示させるメッセージ表示手段を有することを特徴とする。
このため、連絡者が連絡を携帯電話で行い、被連絡者が通話できない場合であっても、連絡する人が所有する携帯電話に前記待受モード通知情報が送信されるので、連絡者は被連絡者が通話できない状態であることを知覚することができる。そして、連絡者は携帯電話を用いてメッセージを被連絡者が所持する携帯電話に送信し、当該メッセージは被連絡者が視認する外部端末に送信されるので、連絡者が被連絡者に連絡を行うことが可能となる。
【発明の効果】
【００１２】
本発明によれば、待受モード設定手段は、待受モード通知情報を通信相手の電話に送信し、公衆網通信部が前記通信相手の電話からメッセージを受信した場合には、外部通信部を介して、前記メッセージを外部端末に送信する。このため、被連絡者が通話できない場合には、連絡者が所有する携帯電話に前記待受モード通知情報が送信されるので、連絡者は被連絡者が通話できない状態であることを知覚することができる。そして、連絡者は携帯電話を用いてメッセージを被連絡者の携帯電話に送信し、当該メッセージは被連絡者が視認する外部端末に送信されるので、連絡者が被連絡者に適切な手段で連絡を行うことが可能となる。
【図面の簡単な説明】
【００１３】
【図１】本発明の概念図である。
【図２】ヘッドマウントディスプレイのブロック図である。
【図３】携帯電話のブロック図である。
【図４】携帯電話システムの各処理のフロー図である。
【発明を実施するための形態】
【００１４】
（本発明の概要）
以下に図面を参照しつつ、本発明の好ましい実施の形態を示す。図１に示されるように、本発明の携帯電話システムは、ユーザーが所持する携帯電話８０と、この携帯電話８０と通信するヘッドマウントディスプレイ１００とから構成されている。ヘッドマウントディスプレイ１００は、ユーザーの頭部に装着されるヘッドマウントディスプレイ部５０と、ユーザーの腰等の身体に装着される制御部３０とから構成されている。ヘッドマウントディスプレイ部５０は、頭部装着部５１、画像表示部５２とから構成されている。頭部装着部５１は、図１に示される実施形態では、眼鏡のフレーム形状であるが、ヘルメット形状等であってもよく、ユーザーの頭部に装着される構造のものであれはすべて含まれる。
【００１５】
画像表示部５２は、頭部装着部５１の側前部に取り付けられている。画像表示部５２は、画像を生成し、当該画像をユーザーに視認させるものである。本実施形態では、画像表示部５２は、レーザ光を直接ユーザーの眼球に走査することにより、ユーザーに画像を視認させる網膜走査型ディスプレイを用いて構成される。画像表示部５２は、ハーフミラー５２ａを有する。ハーフミラー５２ａは、画像表示部５２から入射された画像光の一部を反射し、ユーザーの左眼に導く。ハーフミラー５２ａはまた、外界像を表す外界光の一部を透過し、ユーザーの左眼に導く。このように、画像表示部５２がハーフミラー５２ａを有するので、ユーザーは画像表示部５２が生成する画像を視認することができると同時に、外界もまた視認することができる。なお、画像表示部５２は、液晶ディスプレイ、有機ＥＬ（Ｏｒｇａｎｉｃ  Ｅｌｅｃｔｒｏｌｕｍｉｎｅｓｃｅｎｃｅ）ディスプレイなど、その他の装置を用いた構成であっても差し支えない。画像表示部５２には、ユーザーによる入力操作を受け付ける複数のボタン等からなる入力部５３や加速度センサー５４（図２に示す）が設けられている。
【００１６】
制御部３０は、画像表示部５２と接続し、画像表示部５２が表示する画像を生成する機能を有している。制御部３０は、ユーザー（被連絡者）が所持する携帯電話８０と通信する機能を有している。本発明では、携帯電話８０が着信した場合には（図１の（Ａ）の（１））、携帯電話８０は通信相手（連絡者）の「電話情報」を制御部３０に送信し（図１の（Ａ）の（２））、当該「電話情報」が画像表示部５２で表示される（図１の（Ａ）の（３））。携帯電話８０は「待受モード通知情報」を携帯電話９０に送信する（図１の（Ａ）の（４））。なお、「待受モード」とは、画像表示部５２で携帯電話９０の「電話情報」が表示されるとともに、画像表示部５２で携帯電話９０から送信され携帯電話８０で受信したメッセージが表示される状態のモードである。「待受モード通知情報」を確認した通信相手が、メール等の「メッセージ」を携帯電話９０で携帯電話８０に送信し、携帯電話８０が前記「メッセージ」を受信すると（図１の（Ａ）の（５））、携帯電話８０は当該「メッセージ」を制御部３０に送信する（図１の（Ａ）の（６））。「メッセージ」を受信した制御部３０は、当該「メッセージ」を画像表示部５２で表示させる（図１の（Ａ）の（７））。このため、会議中等手が離せない場合であっても、ユーザーは携帯電話８０が受信した「メッセージ」を簡単に確認することが可能となる。
【００１７】
画像表示部５２で表示された「メッセージ」を視認したユーザーは、入力部５３を操作したり、頭を動かしたりすることにより、前記「メッセージ」に対する応答を行うことができる。ユーザーが、入力部５３を操作して応答する場合には、制御部３０は「入力情報」を８０に送信し、図１の（Ｃ）に示されるように、携帯電話８０は前記「入力情報」に基づいて「応答情報」を生成する。或いは、ユーザーが頭を動かす等により応答する場合には、加速度センサー５４（図２参照）はユーザーの頭の動きを検知して「検知信号」を制御部３０に出力し、制御部３０は前記「検知信号」に基づいて「入力情報」を携帯電話８０に送信する。そして、図１の（Ｂ）に示されるように、携帯電話８０は前記「入力情報」に基づいて「応答情報」を生成する。携帯電話８０は生成された「応答情報」を通信相手の電話９０に送信する（図１の（Ａ）の（９））。このように、会議中等手が離せない場合であっても、ユーザーは簡単な入力操作により、通信相手の電話９０から送信された「メッセージ」に対する応答を行うことが可能となる。
以下、このような機能を実現するヘッドマウントディスプレイ１００について詳細に説明する。
【００１８】
（ヘッドマウントディスプレイのブロック図）
図２を用いて、ヘッドマウントディスプレイ１００を説明する。制御部３０は、ＣＰＵ１１、ＲＡＭ１２、記憶部１３、入力インターフェース１４、画像生成部１５、通信部１６を有している。これらの構成は、相互にバス９で接続されている。ヘッドマウントディスプレイ部５０は、入力部５３、加速度センサー５４及び画像表示部５２を有している。入力部５３や加速度センサー５４は、入力インターフェース１４に接続している。画像表示部５２は、画像生成部１５に接続している。なお、ヘッドマウントディスプレイ部５０と制御部３０との各構成間の接続方式には、有線及び無線の両方の接続方式が含まれる。
【００１９】
ＣＰＵ（Ｃｅｎｔｒａｌ  Ｐｒｏｃｅｓｓｉｎｇ  Ｕｎｉｔの略）１１は、ＲＡＭ（Ｒａｎｄｏｍ  Ａｃｃｅｓｓ  Ｍｅｍｏｒｙの略）１２、記憶部１３と協動して、各種演算、処理を行う。
【００２０】
ＲＡＭ１２は、ＣＰＵ１１で処理されるプログラムや、ＣＰＵ１１が処理するデータを、そのアドレス空間に一時的に記憶する。
【００２１】
記憶部１３には、不揮発性メモリーやハードディスク等の補助記憶装置が含まれる。記憶部１３には、制御部３０を制御する各種プログラムやパラメータが記憶されている。当該各種プログラムが、ＣＰＵ１１で処理されることにより、各種機能を実現している。記憶部１３には、電話情報取得プログラム１３ａ、電話情報表示プログラム１３ｂ、メッセージ取得プログラム１３ｃ、メッセージ表示プログラム１３ｄ、入力情報送信プログラム１３ｅが記憶されている。また、記憶部１３には、電話情報記憶領域１３ｆ、メッセージ記憶領域１３ｇを有している。
【００２２】
電話情報取得プログラム１３ａは、通信部１６を介して、ユーザーが所持する携帯電話８０から送信された通信相手の電話情報」を受信して取得し、当該「電話情報」を電話情報記憶領域１３ｆに記憶させるプログラムである。
電話情報表示プログラム１３ｂは、電話情報記憶領域１３ｆに記憶された「電話情報」を画像表示部５２で表示させる描画命令を画像生成部１５に出力するプログラムである。
メッセージ取得プログラム１３ｃは、携帯電話９０から送信され、携帯電話８０から転送された「メッセージ」を、通信部１６を介して取得し、メッセージ記憶領域１３ｇに記憶させる。
メッセージ表示プログラム１３ｄは、メッセージ記憶領域１３ｇに記憶された「メッセージ」を、画像表示部５２に表示させる描画命令を画像生成部１５に出力する。
入力情報送信プログラム１３ｅは、ユーザーの入力操作により生成された「入力情報」を、通信部１６を介して、携帯電話８０に送信するプログラムである。
なお、電話情報取得プログラム１３ａ、電話情報表示プログラム１３ｂ、メッセージ取得プログラム１３ｃ、メッセージ表示プログラム１３ｄ、入力情報送信プログラム１３ｅを、ＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔ）として構成することとしても差し支えない。
【００２３】
電話情報記憶領域１３ｆには、携帯電話８０から送信された通信相手の電話９０の「電話情報」が記憶される。
メッセージ記憶領域１３ｇには、携帯電話９０から送信され、携帯電話８０によって転送された「メッセージ」が記憶される。
【００２４】
入力部５３は、ユーザーからの入力操作を受け付けるものである。入力部５３には、物理的なボタン、マトリックススイッチ式や静電容量式等のタッチパネルが含まれる。ユーザーの入力部５３での入力操作により生成された信号は、入力インターフェース１４で、物理的・論理的な形式が変換されて、「入力情報」としてバス９に出力される。図１に示される実施形態では、入力部５３は、画像表示部５２に設けられているが、他のヘッドマウントディスプレイ部５０に設けられていても差し支えない。
なお、ユーザーは入力部５３を操作することにより、「待受モード」の設定及び解除を行うこともできる。つまり、ユーザーが入力部５３を操作すると、入力インターフェース１４で「待受モード設定信号」又は「待受モード解除信号」を生成され、当該「待受モード設定信号」又は「待受モード解除信号」が通信部１６を介して携帯電話８０に送信される。
【００２５】
加速度センサー５４は、ユーザーの頭の動作や、画像表示部５２が受ける加速度を検出する。加速度センサー５４が検出した加速度は、入力インターフェース１４で、物理的・論理的な形式が変換されて、「入力情報」としてバス９に入力される。なお、加速度センサー５４は、頭部装着部５１に設けられていても差し支えない。
【００２６】
画像生成部１５は、ＧＰＵ（Ｇｒａｐｈｉｃｓ  Ｐｒｏｃｅｓｓｉｎｇ  Ｕｎｉｔ）及びＶＲＡＭを有している。ＧＰＵは、電話情報表示プログラム１３ｂやメッセージ表示プログラム１３ｄからの描画命令により、「画像データ」を生成し、ＶＲＡＭに記憶させる。ＶＲＡＭに記憶された「画像データ」は、「画像信号」として画像表示部５２に出力される。
【００２７】
通信部１６は、ユーザーが所持する携帯電話８０と通信を行う装置である。通信部１６は、赤外線通信やブルートゥース（登録商標）による無線規格のインターフェースとなっている。
【００２８】
（携帯電話のブロック図）
図３を用いて、以下に、携帯電話８０について説明する。携帯電話８０は、ＣＰＵ６１、ＲＡＭ６２、記憶部６３、入力インターフェース６４、画像生成部６５、外部通信部６６、公衆網通信部６７を有している。これらの構成は、相互にバス７９で接続されている。携帯電話８０は更に入力部６８及び表示部６９を有している。入力部６８は、入力インターフェース６４に接続している。表示部６９は、画像生成部６５に接続している。
【００２９】
ＣＰＵ６１は、ＲＡＭ６２、記憶部６３と協動して、各種演算、処理を行う。ＲＡＭ６２は、ＣＰＵ６１で処理されるプログラムや、ＣＰＵ６１が処理するデータを、そのアドレス空間に一時的に記憶する。
【００３０】
記憶部６３には、不揮発性メモリーやハードディスク等の補助記憶装置が含まれる。記憶部６３には、携帯電話８０を制御する各種プログラムやパラメータが記憶されている。当該各種プログラムが、ＣＰＵ６１で処理されることにより、各種機能を実現している。
記憶部６３には、外部端末表示可能確認プログラム６３ａ、電話情報取得プログラム６３ｂ、電話情報送信プログラム６３ｃ、通話状態通知プログラム６３ｄ、待受モード設定プログラム６３ｅ、音声変換プログラム６３ｆ、メッセージ転送プログラム６３ｇ、応答プログラム６３ｈが記憶されている。また、記憶部６３には、電話情報記憶領域６３ｊ、待受モードフラグ記憶領域６３ｋ、メッセージ記憶領域６３ｍ、応答情報テーブル記憶領域６３ｎが記憶されている。
【００３１】
外部端末表示可能確認６３ａは、画像表示部５２が表示可能な状態であるか否かを判断するプログラムである。
電話情報取得プログラム６３ｂは、通信相手の名前や通信相手の電話９０の電話番号からなる「電話情報」公衆網通信部６７を介して取得し、電話情報記憶領域６３ｊに記憶させるプログラムである。
電話情報送信プログラム６３ｃ、着信があった場合に、前記「電話情報」を、外部通信部６６を介してヘッドマウントディスプレイ１００の制御部３０に送信するプログラムである。
通話状態通知プログラム６３ｄは、携帯電話８０が通信相手の電話９０と通話状態であることを表す「通話状態情報」を、外部通信部６６を介してヘッドマウントディスプレイ１００の制御部３０に送信するプログラムである。
待受モード設定プログラム６３ｅは、ユーザーの入力部６８への入力操作により、「待受モード設定信号」が入力インターフェース６４からバス７９に入力されたと判断した場合には、「待受モードフラグ」を待受モードフラグ記憶領域６３ｋに記憶させる。また、待受モード設定プログラム６３ｅは、ユーザーの入力部６８への入力操作により、「待受モード解除信号」が入力インターフェース６４からバス７９に入力されたと判断した場合には、待受モードフラグ記憶領域６３ｋから「待受モードフラグ」を消去させる。或いは、ユーザーがヘッドマウントディスプレイ部５０の入力部５３を操作することにより、待受モード設定プログラム６３ｅが制御部３０から送信された「待受モード設定信号」を、外部通信部６６を介して受信したと判断した場合には、待受モード設定プログラム６３ｅは、「待受モードフラグ」を待受モードフラグ記憶領域６３ｋに記憶させる。また、ユーザーが入力部５３を操作することにより、待受モード設定プログラム６３ｅが制御部３０から送信された「待受モード解除信号」を、外部通信部６６を介して受信したと判断した場合には、待受モード設定プログラム６３ｅは、待受モードフラグ記憶領域６３ｋに記憶されている「待受モードフラグ」を消去させる。待受モード設定プログラム６３ｅは、「待受モード通知情報」を、公衆網通信部６７を介して、通信相手の電話９０に送信する。
メッセージ転送プログラム６３ｇは、メッセージ記憶領域６３ｍに記憶されている通信相手の電話９０から送信された「メッセージ」をヘッドマウントディスプレイ１００の制御部３０に転送するプログラムである。
音声変換プログラム６３ｆは、通信相手の電話９０から送信された音声の「メッセージ」を音声認識により、文字に変換し、文字の「メッセージ」を生成するプログラムである。
応答プログラム６３ｈは、ユーザーによる入力操作により生成され、制御部３０から外部通信部６６を介して送信された「入力情報」に基づいて「応答情報」を生成するプログラムである。また、応答プログラム６３ｈは生成された「応答情報」を、公衆網通信部６７を介して、通信相手の電話９０に送信する。
待受モード判断プログラム６３ｉは、待受モードであるか否かを判断するプログラムである。具体的には、待受モード判断プログラム６３ｉは、待受モードフラグ記憶領域６３ｋを参照することにより、「待受モードフラグ」が記憶されているか否かにより、待受モードであるか否かを判断する。
勿論、記憶部６３には、携帯電話としての通話機能及びメール送受信機能を実現するプログラムが記憶されている。
外部端末表示可能確認プログラム６３ａ、電話情報取得プログラム６３ｂ、電話情報送信プログラム６３ｃ、通話状態通知プログラム６３ｄ、待受モード設定プログラム６３ｅ、音声変換プログラム６３ｆ、メッセージ転送プログラム６３ｇ、応答プログラム６３ｈ、待受モード判断プログラム６３ｉをＡＳＩＣ（Ａｐｐｌｉｃａｔｉｏｎ Ｓｐｅｃｉｆｉｃ ＩｎｔｅｇｒａｔｅｄＣｉｒｃｕｉｔ）として構成することとしても差し支えない。
【００３２】
電話情報記憶領域６３ｊには、電話情報取得プログラム６３ｂによって取得された「電話情報」が記憶される。
待受モードフラグ記憶領域６３ｋには、待受モード設定プログラム６３ｅによって「待受モード設定フラグ」が記憶される。
メッセージ記憶領域６３ｍには、携帯電話９０から送信された「メッセージ」が記憶される。
応答情報テーブル記憶領域６３ｎは、図１の（Ｂ）や（Ｃ）に示されるように、ユーザーによる複数の入力操作と、当該入力操作に対応した応答情報との対応関係を表した「応答情報テーブル」が記憶されている。
【００３３】
入力部６８は、ユーザーからの入力操作を受け付けるものである。入力部６８には、物理的なボタン、マトリックススイッチ式や静電容量式等のタッチパネルが含まれる。ユーザーの入力部６８での入力操作により生成された信号は、入力インターフェース６４で、物理的・論理的な形式が変換されて、「入力情報」としてバス７９に出力される。
ユーザーは、入力部６８を操作することにより、「待受モード」の設定及び解除を行うことができる。つまり、ユーザーが、入力部６８を操作すると、入力インターフェース６４で、「待受モード設定信号」又は「待受モード解除信号」が生成されて、「待受モード設定信号」又は「待受モード解除信号」がバス７９に入力される。
【００３４】
画像生成部６５は、ＧＰＵ及びＶＲＡＭを有している。ＧＰＵは、ＣＰＵ６１からの描画命令により、「画像データ」を生成し、ＶＲＡＭに記憶させる。ＶＲＡＭに記憶された「画像データ」は、「画像信号」として表示部６９に出力される。
【００３５】
外部通信部６６は、制御部３０の通信部１６と通信を行う装置である。通信部１８は、通信部１６に対応したインターフェースとなっている。
【００３６】
公衆網通信部６７は、無線公衆通信網と通信を行う装置である。公衆網通信部６７は、前記無線公衆通信網に対応したインターフェースとなっている。本発明では、公衆網通信部６７は、無線公衆通信網を介して、通信相手の電話９０と通信する。
【００３７】
（ヘッドマウントディスプレイメイン処理）
図４を用いて、ヘッドマウントディスプレイメイン処理の説明をする。ヘッドマウントディスプレイ１００に電源が投入されヘッドマウントディスプレイメイン処理が開始すると、Ｓ１１の判断処理に進む。
Ｓ１１「電話情報受信」の判断処理において、電話情報取得プログラム１３ａは、携帯電話８０から送信された「電話情報」を受信したか否かを判断する。電話情報取得プログラム１３ａが、「電話情報」を受信したと判断した場合には（Ｓ１１の判断処理がＹＥＳ）、前記「電話情報」を電話情報記憶領域１３ｆに記憶させて、Ｓ１２の処理に進む。一方で、電話情報取得プログラム１３ａが、「電話情報」を受信したと判断しない場合には（Ｓ１１の判断処理がＮＯ）、Ｓ１２の処理に進まない。
【００３８】
Ｓ１２の「電話情報表示」の処理において、電話情報表示プログラム１３ｂは、電話情報記憶領域１３ｆに記憶されている「電話情報」を画像表示部５２で表示させる描画命令を、画像生成部１５に出力する。通信相手の名前や通信相手の電話９０の電話番号からなる「電話情報」は、画像表示部５２で表示される。Ｓ１２の処理が終了すると、Ｓ１３の判断処理に進む。
【００３９】
Ｓ１３「通話」の判断処理において、ＣＰＵ１１は、携帯電話８０から「通話状態情報」を受信したか否かを判断する。ＣＰＵ１１が、携帯電話８０から「通話状態情報」を受信したと判断した場合には（Ｓ１３の判断処理がＹＥＳ）、ユーザーが携帯電話８０を用いて通話を行っていると考えられる。そのため、ＣＰＵ１１は、画像表示部５２における「電話情報」の表示を停止させる描画命令を画像生成部１５に出力した後に、Ｓ１１の判断処理に戻る。一方で、ＣＰＵ１１が、「通話状態情報」を、Ｓ１１の判断処理で携帯電話８０から「電話情報」を受信してから所定時間の内に受信しなかったと判断した場合には（Ｓ１３の判断処理がＮＯ）、Ｓ１４の判断処理に進む。
【００４０】
Ｓ１４「メッセージ受信」の判断処理において、メッセージ取得プログラム１３ｃは、携帯電話８０から「メッセージ」を受信したか否かを判断する。メッセージ取得プログラム１３ｃが、携帯電話９０から「メッセージ」を受信したと判断した場合には（Ｓ１４の判断処理がＹＥＳ）、当該「メッセージ」をメッセージ記憶領域１３ｇに記憶させて、Ｓ１５の処理に進む。一方で、メッセージ取得プログラム１３ｃが、携帯電話９０から「メッセージ」を受信したと判断しない場合には（Ｓ１４の判断処理がＮＯ）、Ｓ１５の処理に進まない。
【００４１】
Ｓ１５「メッセージを表示」の処理において、メッセージ表示プログラム１３ｄは、メッセージ記憶領域１３ｇに記憶されている「メッセージ」を画像表示部５２で表示させる描画命令を、画像生成部１５に出力する。前記「メッセージ」は画像表示部５２で表示され、ユーザーは、前記「メッセージ」を確認することができる。Ｓ１５の処理が終了すると、Ｓ１６の判断処理に進む。
【００４２】
Ｓ１６「入力あり」の判断処理において、ＣＰＵ１１は、ユーザーによる入力操作があったか否かを判断する。具体的には、ユーザーが入力部５３への入力操作を行うことにより、ＣＰＵ１１が、入力インターフェース１４からバス９に「入力情報」が入力されたと判断した場合には、ユーザーによる入力操作があったと判断する。或いは、ユーザーが頭を振ったり、画像表示部５３を指で叩いたりして、加速度センサー５４が所定値以上の加速度を検知し、ＣＰＵ１１が、入力インターフェース１４からバス９に「入力情報」が入力されたと判断した場合には、ユーザーによる入力操作があったと判断する。ＣＰＵ１１が、ユーザーによる入力操作があったと判断した場合には（Ｓ１６の判断処理がＹＥＳ）、Ｓ１７の処理に進む。一方で、ＣＰＵ１１が、ユーザーによる入力操作があったと判断しない場合には（Ｓ１６の判断処理がＮＯ）、Ｓ１７の処理には進まない。
【００４３】
Ｓ１７「入力情報を携帯電話に送信」の処理において、入力情報送信プログラム１３ｅは、Ｓ１６の判断処理で生成された「入力情報」を、通信部１６を介して、ユーザーが所持する携帯電話８０に送信する。Ｓ１７の処理が終了すると、Ｓ１１の判断処理に戻る。
【００４４】
（携帯電話メイン処理）
図４を用いて、携帯電話メイン処理の説明をする。携帯電話８０に電源が投入されると、携帯電話メイン処理が開始し、Ｓ５１の判断処理に進む。
Ｓ５１「着信有り」の判断処理において、ＣＰＵ６１は、携帯電話９０からの着信が有ったか否かを判断する。ＣＰＵ６１が、携帯電話９０からの着信が有ったと判断した場合には（Ｓ５１の判断処理がＹＥＳ）、電話情報取得プログラム６３ｂは、通信相手の名前や通信相手の電話９０の電話番号からなる「電話情報」を、公衆網通信部６７を介して取得し、電話情報記憶領域６３ｊに記憶させる。勿論、ＣＰＵ６１は、前記「電話情報」を表示部６９で表示させる描画命令を、画像生成部６５に出力する。その後、ＣＰＵ６１は、Ｓ５２の判断処理に処理を進ませる。一方で、ＣＰＵ６１が、携帯電話９０からの着信が有ったと判断しない場合には（Ｓ５１の判断処理がＮＯ）、Ｓ５２の判断処理に進まない。
【００４５】
Ｓ５２「ＨＭＤは表示可」の判断処理において、外部端末表示可能確認プログラム６３ａは、ヘッドマウントディスプレイ１００が画像表示可能であるか否かを判断する。具体的には、外部端末表示可能確認プログラム６３ａは、ヘッドマウントディスプレイ１００の制御部３０と通信可能であるか否かを判断する。制御部３０と通信可能であった場合、外部端末表示可能確認プログラム６３ａは、制御部３０を介して、画像表示部５２が画像表示可能な状態か否かを（例えば、画像表示部５２の電源が入っているか否か）を判断する。外部端末表示可能確認プログラム６３ａが、ヘッドマウントディスプレイ１００が画像表示可能であると判断した場合には（Ｓ５２の判断処理がＹＥＳ）、Ｓ５３の処理に進む。一方で、外部端末表示可能確認プログラム６３ａが、ヘッドマウントディスプレイ１００が画像表示不能であると判断した場合には（Ｓ５２の判断処理がＮＯ）、Ｓ５１の判断処理に戻る。
【００４６】
Ｓ５３「ＨＭＤに電話情報送信」の処理において、電話情報送信プログラム６３ｃは、電話情報記憶領域６３ｊに記憶されている「電話情報」を、外部通信部６６を介して、ヘッドマウントディスプレイ１００の制御部３０に送信する。Ｓ５３の処理が終了すると、Ｓ５４の判断処理に進む。
【００４７】
Ｓ５４「通話」の判断処理において、ＣＰＵ６１は、ユーザーが入力部６８を操作することにより通話することを選択したか否かを判断する。ＣＰＵ６１は、ユーザー通話することを選択したと判断した場合には（Ｓ５４の判断処理がＹＥＳ）、Ｓ５５の処理に進む。一方で、ユーザーが操作部６８を操作することにより通話を保留することを選択した場合、或いは、ユーザーが一定時間以上操作部６８を操作しなかった場合には、ＣＰＵ６１はユーザーが通話することを選択しなかったと判断し（Ｓ５４の判断処理がＮＯ）、Ｓ５６の判断処理に進む。
【００４８】
Ｓ５５の「ＨＭＤに通話状態通知」の処理において、通話状態通知プログラム６３ｄは、携帯電話８０が携帯電話９０と通話状態であることを表す「通話状態情報」を、ヘッドマウントディスプレイ１００の制御部３０に送信する。Ｓ５５の処理が終了すると、Ｓ５１の判断処理に戻る。
【００４９】
Ｓ５６「待受モードフラグ有り」の判断処理において、待受モード判断プログラム６３ｉは、待受モードフラグ記憶領域６３ｋを参照することにより、「待受モードフラグ」が記憶されているか否かを判断する。待受モード判断プログラム６３ｉが、「待受モードフラグ」が記憶されていると判断した場合には（Ｓ５６の判断処理がＹＥＳ）、Ｓ５７の処理に進む。待受モード判断プログラム６３ｉが、「待受モードフラグ」が記憶されていないと判断した場合には（Ｓ５６の判断処理がＮＯ）、Ｓ５１の判断処理に戻る。
【００５０】
Ｓ５７「待受モード通知情報を通信相手の電話に送信」の処理において、待受モード設定プログラム６３ｅは、「待受モード通知情報」を通信相手の電話９０に送信する。通信相手（連絡者）は、「待受モード通知情報」を自己が所持する携帯電話９０で確認することにより、ユーザー（被連絡者）が通話できない状態であることを知覚することができる。Ｓ５７の処理が終了すると、Ｓ５１の判断処理に戻る。
【００５１】
（メッセージ待受処理）
図４を用いて、メッセージ待受処理について説明する。携帯電話８０の電源が投入されると、メッセージ待受処理が開始し、Ｓ６１の判断処理に進む。
Ｓ６１「メッセージあり」の判断処理において、ＣＰＵ６１は、電話情報記憶領域６３ｊに記憶されている「電話情報」と同一の携帯電話９０からメール等の「メッセージ」を受信したか否かを判断する。ＣＰＵ６１が、電話情報記憶領域６３ｊに記憶されている「電話情報」と同一の携帯電話９０から「メッセージ」を受信したと判断した場合には（Ｓ６１の判断処理がＹＥＳ）、当該「メッセージ」がメッセージ記憶領域６３ｍに記憶されて、Ｓ６２の処理に進む。一方で、ＣＰＵ６１が、電話情報記憶領域６３ｊに記憶されている「電話情報」と同一の携帯電話９０から「メッセージ」を受信したと判断しない場合には（Ｓ６１の判断処理がＮＯ）、Ｓ６２の処理に進まない。
【００５２】
Ｓ６２「メッセージが音声か」の判断処理において、ＣＰＵ６１は、Ｓ６１の判断処理で受信した「メッセージ」が音声であるか否かを判断する。ＣＰＵ６１が、Ｓ６１の判断処理で受信した「メッセージ」が音声であると判断した場合には（Ｓ６２の判断処理がＹＥＳ）、Ｓ６３の処理に進む。一方で、ＣＰＵ６１が、Ｓ６１の判断処理で受信した「メッセージ」が音声でないと判断した場合には（Ｓ６２の判断処理がＮＯ）、Ｓ６４の処理に進む。
【００５３】
Ｓ６３「文字に変換」の処理において、音声変換プログラム６３ｆは、Ｓ６２の判断処理した音声の「メッセージ」を、音声認識により文字に変換し、当該文字の「メッセージ」をメッセージ記憶領域６３ｍに記憶させる。Ｓ６３の処理が終了すると、Ｓ６４の処理に進む。
【００５４】
Ｓ６４「受信したメッセージをＨＭＤに送信」に処理において、メッセージ転送プログラム６３ｇは、メッセージ記憶領域６３ｍに記憶された「メッセージ」をヘッドマウントディスプレイ１００の制御部３０に転送する。Ｓ６４の処理が終了すると、Ｓ６１の判断処理に戻る。
このように、本実施形態では、Ｓ６１の判断処理において、ＣＰＵ６１が、電話情報記憶領域６３ｊに記憶されている「電話情報」と同一の携帯電話９０から「メッセージ」を受信したと判断した場合に限り、当該「メッセージ」がメッセージ記憶領域６３ｍに記憶されて、Ｓ６４の処理において前記「メッセージ」のみがヘッドマウントディスプレイ１００の制御部３０に転送されるので、通信相手と関係の無い「メッセージ」が、ヘッドマウントディスプレイ１００の制御部３０に送信されることが無いので、ユーザーが煩わしく感じることが無い。
【００５５】
（応答待受処理）
図４を用いて、応答待受処理について説明する。携帯電話８０の電源が投入されると、応答待受処理が開始し、Ｓ７１の判断処理に進む。
Ｓ７１「待受モードフラグ有り」の判断処理において、待受モード判断プログラム６３ｉは、待受モードフラグ記憶領域６３ｋを参照することにより、「待受モードフラグ」が記憶されているか否かを判断する。待受モード判断プログラム６３ｉが、「待受モードフラグ」が記憶されていると判断した場合には（Ｓ７１の判断処理がＹＥＳ）、Ｓ７２の処理に進む。待受モード判断プログラム６３ｉが、「待受モードフラグ」が記憶されていないと判断した場合には（Ｓ７１の判断処理がＮＯ）、Ｓ７２判断処理に進まない。
【００５６】
Ｓ７２「入力情報受信」の判断処理の処理において、ＣＰＵ６１は、ヘッドマウントディスプレイ１００の制御部３０から、外部通信部６６を介して「入力情報」を受信したか否かを判断する。ＣＰＵ６１が、ヘッドマウントディスプレイ１００の制御部３０から、外部通信部６６を介して「入力情報」を受信したと判断した場合には（Ｓ７２の判断処理がＹＥＳ）Ｓ７３の処理に進む。一方で、ＣＰＵ６１が、ヘッドマウントディスプレイ１００の制御部３０から、外部通信部６６を介して「入力情報」を受信したと判断しない場合には（Ｓ７２の判断処理がＮＯ）Ｓ７１の判断処理に戻る。
【００５７】
Ｓ７３「入力情報を応答情報に変換」の処理において、応答プログラム６３ｈは、「入力情報」を「応答情報」に変換して生成する。具体的には、ヘッドマウントディスプレイメイン処理のＳ１６の判断処理において、ユーザーが入力部５３に入力操作を行った場合には、応答プログラム６３ｈは、前記入力操作によって生成された「入力情報」と、応答情報テーブル記憶領域６３ｎに記憶されている「応答情報テーブル」（図１の（Ｃ）に示す）を対応させて、前記「入力情報」に対応する「応答情報」特定する。或いは、Ｓ１６の判断処理において、ユーザーが頭を振る若しくは画像表示部５２を叩くことによる入力操作を行った場合には、応答プログラム６３ｈは、前記入力操作によって生成された「入力情報」と、応答情報テーブル記憶領域６３ｎに記憶されている「応答情報テーブル」（図１の（Ｂ）に示す）を対応させて、前記「入力情報」に対応する「応答情報」特定する。Ｓ７３の処理が終了すると、Ｓ７４の処理に進む。
【００５８】
Ｓ７４「応答を通信相手の電話に送信」の処理において、応答プログラム６３ｈは、Ｓ７３の処理で生成した「応答情報」を、公衆網通信部６７を介して、通信相手の電話９０（図１の（Ａ）に示す）に送信する。このようにして、通信相手は、ユーザーによる応答を認知することができる。
Ｓ７４の処理が終了すると、Ｓ７１の判断処理に戻る。
【００５９】
（総括）
以上説明した実施形態では、通信相手の電話が携帯電話９０である例について本発明を説明したが、通信相手の電話が固定電話であっても差し支えないことは言うまでもない。
以上説明した実施形態では、携帯電話８０が受信した「メッセージ」をヘッドマウントディスプレイ１００に送信して、ヘッドマウントディスプレイ１００で表示させることにしているが、例えば、パーソナルコンピュータ等ユーザーが画像を視認することができる外部端末に携帯電話８０が受信した「メッセージ」を送信する実施形態であっても差し支えない。
以上、現時点において、もっとも、実践的であり、かつ好ましいと思われる実施形態に関連して本発明を説明したが、本発明は、本願明細書中に開示された実施形態に限定されるものではなく、請求の範囲および明細書全体から読み取れる発明の要旨あるいは思想に反しない範囲で適宜変更可能であり、そのような変更を伴う携帯電話や携帯電話システムもまた技術的範囲に包含されるものとして理解されなければならない。 
【符号の説明】
【００６０】
９      バス
１１    ＣＰＵ
１２    ＲＡＭ
１３    記憶部
１３ａ  電話情報取得プログラム
１３ｂ  電話情報表示プログラム
１３ｃ  メッセージ取得プログラム
１３ｄ  メッセージ表示プログラム
１３ｅ  入力情報送信プログラム
１３ｆ  電話情報記憶領域
１３ｇ  メッセージ記憶領域
１４    入力インターフェース
１５    画像生成部
１６    通信部
３０    制御部
５０    ヘッドマウントディスプレイ部
５１    頭部装着部
５２    画像表示部
５２ａ  ハーフミラー
５３    入力部
５４    加速度センサー
６１    ＣＰＵ
６２    ＲＡＭ
６３    記憶部
６３ａ  外部端末表示可能確認プログラム
６３ｂ  電話情報取得プログラム
６３ｃ  電話情報送信プログラム
６３ｄ  通話状態通知プログラム
６３ｅ  待受モード設定プログラム
６３ｆ  音声変換プログラム
６３ｇ  メッセージ転送プログラム
６３ｈ  応答情報生成プログラム
６３ｉ  待受モード判断プログラム
６３ｊ  電話情報記憶領域
６３ｋ  待受モードフラグ記憶領域
６３ｍ  メッセージ記憶領域
６３ｎ  応答情報テーブル記憶領域
６４    入力インターフェース
６５    画像生成部
６６    外部通信部
６７    公衆網通信部
６８    入力部
６９    表示部
７９    バス
８０    ユーザーが所持する携帯電話
９０    通信相手の電話
１００  ヘッドマウントディスプレイ
【図１】
2011211384.tif 000003
【図２】
2011211384.tif 000004
【図３】
2011211384.tif 000005
【図４】
2011211384.tif 000006